(57)【要約】【課題】利便性を向上させることができる暖房便座装置を提供することを目的とする。【解決手段】座面を暖める暖房機能を有する便座への使用者の着座を検知する着座検知部と、音声出力部と、前記使用者に報知する、前記暖房機能に関する情報を判断する制御部と、を備え、前記制御部は、前記着座検知部により前記使用者の着座が検知されると、前記音声出力部に前記暖房機能に関する前記情報を報知させる暖房便座装置が提供される。【選択図】図２
2019024532.tif 000002
【特許請求の範囲】
【請求項１】
座面を暖める暖房機能を有する便座への使用者の着座を検知する着座検知部と、
音声出力部と、
前記使用者に報知する、前記暖房機能に関する情報を判断する制御部と、
を備え、
前記制御部は、前記着座検知部により前記使用者の着座が検知されると、前記音声出力部に前記暖房機能に関する前記情報を報知させる暖房便座装置。
【請求項２】
前記便座の温度の設定、および、前記便座の操作の少なくともいずれかを前記使用者から受け付ける受付部をさらに備え、
前記制御部は、前記少なくともいずれかに基づいて、前記使用者に報知する前記情報を判断する請求項１記載の暖房便座装置。
【請求項３】
前記便座の温度を測定する便座温度測定部をさらに備え、
前記制御部は、前記便座温度測定部の測定結果に基づいて、前記使用者に報知する前記情報を判断する請求項１または２に記載の暖房便座装置。
【請求項４】
前記便座が設けられたトイレ室内の温度を測定する室内温度測定部をさらに備え、
前記制御部は、前記室内温度測定部の測定結果に基づいて、前記使用者に報知する前記情報を判断する請求項１〜３のいずれか１つに記載の暖房便座装置。
【請求項５】
前記便座の前記暖房機能の状態は、通常状態と、前記通常状態よりも消費電力が低い節電状態と、を有し、
前記制御部は、前記通常状態と前記節電状態とを切替え可能であり、前記便座の前記暖房機能の前記状態に基づいて、前記使用者に報知する前記情報を判断する請求項１〜４のいずれか１つに記載の暖房便座装置。
【請求項６】
前記制御部は、
前記節電状態において、前記便座の温度を、前記通常状態の設定温度よりも低くする制御を実行し、
前記制御が実行される時間帯に、前記使用者の着座が検知されると、前記音声出力部に前記暖房機能に関する前記情報を報知させる、請求項５記載の暖房便座装置。
【発明の詳細な説明】
【技術分野】
【０００１】
本発明の態様は、一般的に、暖房便座装置に関する。
【背景技術】
【０００２】
従来、使用者が着座する座面を暖める機能（暖房機能）を有する暖房便座装置が用いられている。例えば、暖房便座装置の内部にはヒータが設けられ、ヒータの通電により、便座（座面）が暖められる。これにより、気温が低い場合でも、使用者は冷えた便座に座らなくて済むため、使用者の不快感を抑制することができる。
【０００３】
このような暖房便座装置において、使用者は、便座が適温であると思い込んで座る傾向がある。しかし、便座の温度は、必ずしも使用者にとって適温でない場合がある。例えば、昇温中においては、予め設定された便座の温度よりも、実際の便座の温度が低い。また、予め設定された温度が適温よりも低い場合や、暖房機能がオフになっている場合なども考えられる。このような場合に、想定よりも温度が低い便座に座った使用者が、戸惑いを感じる恐れがある。
【０００４】
また、便座が適温でない場合には、使用者が暖房機能を操作して、温度を調整できることが望まれる。しかし、使用者は、その操作方法を知らない場合もある。例えば、公共の施設に設置された暖房便座装置においては、一般家庭に設置された暖房便座装置の場合と異なり、使用者が取扱説明書を参照することが難しい。このように、従来の暖房便座装置においては、利便性に関し、向上の余地があった。
【先行技術文献】
【特許文献】
【０００５】
【特許文献１】特開２００９−２８９１２８号公報
【特許文献２】特開２０１５−１２４５４９号公報
【特許文献３】特開２０１５−０１６０８９号公報
【特許文献４】特開２００６−１３８１１２号公報
【発明の概要】
【発明が解決しようとする課題】
【０００６】
本発明は、かかる課題の認識に基づいてなされたものであり、利便性を向上させることができる暖房便座装置を提供することを目的とする。
【課題を解決するための手段】
【０００７】
第１の発明は、座面を暖める暖房機能を有する便座への使用者の着座を検知する着座検知部と、音声出力部と、前記使用者に報知する、前記暖房機能に関する情報を判断する制御部と、を備え、前記制御部は、前記着座検知部により前記使用者の着座が検知されると、前記音声出力部に前記暖房機能に関する前記情報を報知させる暖房便座装置である。
【０００８】
この暖房便座装置によれば、使用者は、着座時に暖房機能に関する情報を音声により知ることができる。例えば、使用者は、暖房機能の動作状態などの情報を知ることができる。これにより、利便性を向上させることができる。
【０００９】
第２の発明は、第１の発明において、前記便座の温度の設定、および、前記便座の操作の少なくともいずれかを前記使用者から受け付ける受付部をさらに備え、前記制御部は、前記少なくともいずれかに基づいて、前記使用者に報知する前記情報を判断する暖房便座装置である。
【００１０】
この暖房便座装置によれば、受付部が受け付けた情報に基づいて、使用者に適切な情報を報知することができる。例えば、使用者は、便座の設定温度が変更されたことや、変更された設定温度を音声により確認することができる。また、例えば、使用者は、受付部を用いた温度の設定方法を知ることができる。これにより、さらに利便性を向上させることができる。
【００１１】
第３の発明は、第１又は第２の発明において、前記便座の温度を測定する便座温度測定部をさらに備え、前記制御部は、前記便座温度測定部の測定結果に基づいて、前記使用者に報知する前記情報を判断する暖房便座装置である。
【００１２】
この暖房便座装置によれば、便座の温度の測定結果に基づいて、使用者に適切な情報を報知することができる。例えば、使用者は、現在の実際の便座の温度を着座時に音声により知ることができる。これにより、利便性をさらに向上させることができる。
【００１３】
第４の発明は、第１〜第３のいずれか１つの発明において、前記便座が設けられたトイレ室内の温度を測定する室内温度測定部をさらに備え、前記制御部は、前記室内温度測定部の測定結果に基づいて、前記使用者に報知する前記情報を判断する暖房便座装置である。
【００１４】
この暖房便座装置によれば、室内の温度に基づいて、使用者に適切に情報を報知することができる。例えば、室温が所定の温度よりも低いときに、便座が昇温中である場合や暖房機能がオフである場合には、その旨が着座時に報知される。これにより、利便性をさらに向上させることができる。
【００１５】
第５の発明は、第１〜第４のいずれか１つの発明において、前記便座の前記暖房機能の状態は、通常状態と、前記通常状態よりも消費電力が低い節電状態と、を有し、前記制御部は、前記通常状態と前記節電状態とを切替え可能であり、前記便座の前記暖房機能の前記状態に基づいて、前記使用者に報知する前記情報を判断する暖房便座装置である。
【００１６】
この暖房便座装置によれば、便座の暖房機能の状態に基づいて、使用者に適切に情報を報知することができる。例えば、使用者は、便座が節電状態であることを着座時に音声により知ることができる。これにより、利便性をさらに向上させることができる。
【００１７】
第６の発明は、第５の発明において、前記制御部は、前記節電状態において、前記便座の温度を、前記通常状態の設定温度よりも低くする制御を実行し、前記制御が実行される時間帯に、前記使用者の着座が検知されると、前記音声出力部に前記暖房機能に関する前記情報を報知させる暖房便座装置である。
【００１８】
この暖房便座装置によれば、節電状態であって便座の温度が低い時間帯に、使用者に暖房機能に関する情報を報知することができる。例えば、節電状態であって便座の温度が低い時間帯に、使用者が着座すると、暖房機能の状態が節電状態であること、便座が昇温中であること、などが報知される。これにより、利便性をさらに向上させることができる。
【発明の効果】
【００１９】
本発明の態様によれば、利便性を向上させることができる暖房便座装置が提供される。
【図面の簡単な説明】
【００２０】
【図１】実施形態に係る暖房便座装置が設けられたトイレ装置を例示する斜視図である。
【図２】実施形態に係る暖房便座装置を例示するブロック図である。
【図３】実施形態に係る別の暖房便座装置を例示するブロック図である。
【図４】実施形態に係る別の暖房便座装置を例示するブロック図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、実施形態に係る暖房便座装置が設けられたトイレ装置を例示する斜視図である。  
図２は、実施形態に係る暖房便座装置を例示するブロック図である。  
図１に表したように、トイレ装置３００は、トイレ室ＴＲ内に設けられる。トイレ装置３００は、トイレ室ＴＲの床上に設置されている。トイレ装置３００は、壁面などに設置されてもよい。
【００２２】
トイレ装置３００は、便器２００と、暖房便座装置１００と、を有する。暖房便座装置１００は、便器２００の上に設けられる。
【００２３】
暖房便座装置１００は、本体部１０と、便座２０（着座部）と、を有する。便座２０は、便器２００の上に設けられる。本体部１０は、便器２００の後方上部に設けられる。また、暖房便座装置１００に便蓋２２が設けられる。便座２０及び便蓋２２は、本体部１０によって回動可能に軸支されている。
【００２４】
便座２０は、使用者が着座する座面２０ｆを暖める暖房機能を有する。より具体的には、便座２０の内部には、座面２０ｆを暖めるためのヒータ２１として金属部材が設けられる。この金属部材は、便座２０の開口の周りに沿って設けられる。ヒータ２１に通電が行われることで、便座２０が暖められる。便座２０に設けられるヒータ２１としては、例えば、チュービングヒータや、シーズヒータ、ハロゲンヒータ、カーボンヒータなどが用いられる。ヒータ２１の金属部材は、例えば、アルミニウムや銅などで構成される。また、ヒータ２１の金属部材の形状には、シート状やワイヤ状、メッシュ状など、種々の形状を採用することができる。
【００２５】
図２に示すように、本体部１０の内部には、制御部３０、着座検知部４１及び音声出力部５０が設けられる。なお、制御部３０、着座検知部４１及び音声出力部５０の少なくともいずれかは、本体部１０の外部に、本体部１０とは別体として設けられてもよい。
【００２６】
着座検知部４１は、使用者の便座２０への着座の有無を検知することができる。着座検知部４１は、使用者の着座及び離座を検知する。着座検知部４１には、マイクロ波センサ、測距センサ（赤外線投光式センサ）、超音波センサ、タクトスイッチ、静電容量スイッチ（タッチセンサ）、または歪みセンサを用いることができる。この例では、着座検知部４１には、本体部１０に設けられた測距センサが用いられている。
【００２７】
なお、タクトスイッチ、静電センサ及び歪みセンサなどの接触式センサを用いる場合には、これらの接触式センサは、便座２０に設けられる。便座２０に使用者が座ると、使用者の体重によってタクトスイッチが押下される。または、使用者が静電センサに接触する。または、使用者の体重によって歪みセンサに圧力が加えられる。これらのセンサからの電気信号により、使用者の着座を検知することができる。
【００２８】
音声出力部５０は、例えば、本体部１０に設けられたスピーカーである。音声出力部５０が発する音声によって、暖房便座装置１００に関する情報が使用者に報知される。
【００２９】
制御部３０には、例えば、マイコンなどの集積回路やメモリなどを含む演算装置が用いられる。制御部３０は、ヒータ２１、着座検知部４１、及び音声出力部５０のそれぞれと通信可能、または、電気的に接続されている。
【００３０】
制御部３０は、ヒータ２１、着座検知部４１、及び音声出力部５０のそれぞれの動作を制御する。例えば、制御部３０は、着座検知部４１の検知結果を受信する。制御部３０は、この検知結果から、使用者の着座を判定する。また、制御部３０は、ヒータ２１の通電を制御し、便座２０の温度を調整することができる。
【００３１】
なお、本体部１０には、洗浄機能部（不図示）が設けられてもよい。例えば、ノズルやノズルを駆動するモータなどが設けられる。着座した使用者の局部（例えば「おしり」など）を洗浄するための洗浄水がノズルから吐出される。さらに、本体部１０は、脱臭機能部や温風乾燥機能部など有していてもよい。これらの機能部は、例えば制御部３０に制御され、制御部３０からの信号に基づいて動作する。
【００３２】
制御部３０は、報知情報判断部３１を有する。報知情報判断部３１は、暖房便座装置１００の暖房機能に関する情報であって、音声出力部５０の音声によって使用者に報知する情報を判断する。
【００３３】
制御部３０は、着座検知部４１によって使用者の便座２０への着座が検知されると、音声出力部５０に暖房機能に関する情報を報知させる。すなわち、制御部３０は、報知情報判断部３１で使用者に報知すべきと判断された情報に関する信号を、音声出力部５０に送信する。音声出力部５０は、この信号を受信して、当該情報を含む音声を発する。
【００３４】
なお、本願明細書において、「暖房機能に関する情報」とは、暖房機能の動作状態に関する情報、暖房機能の設定状態に関する情報、および、便座の操作方法に関する情報などである。例えば、暖房機能に関する情報は、便座の設定温度、暖房機能がオン／オフであること、暖房機能の開始／停止、または、暖房機能のオン／オフの切り替え方法に関する情報を含む。
【００３５】
例えば、使用者が便座２０に着座すると、音声出力部５０は、「この便座は暖房便座です。」、「暖房を開始します。」、「ただいま便座温度を上げています。」、または、「便座の設定温度は、○℃です。」などと報知する。
【００３６】
なお、便座の設定温度は、例えば、制御部３０のメモリ（例えばＲＯＭ：Read Only Memory）に予め記憶された値である。この値は、使用者によって変更されないデフォルト値である。または、後述する受付部７２が設けられた場合、便座の設定温度は、使用者が設定した温度でもよい。これらの設定温度は、例えば３０℃程度である。
【００３７】
また、後述する便座温度測定部６１等が設けられた場合、暖房機能に関する情報は、便座の温度に関する情報を含んでもよい。例えば、暖房機能に関する情報は、現在の便座の温度に関する情報を含む。
【００３８】
報知情報判断部３１における判断とは、使用者に報知する情報の決定、および、報知を実施するか否かの決定を含む。
【００３９】
以上説明したように、実施形態に係る暖房便座装置１００においては、使用者の便座２０への着座を契機として、暖房機能に関する情報の報知が行われる。使用者は、着座時に音声によって、暖房機能に関する情報を知ることができる。これにより、暖房便座装置の利便性を向上させることができる。例えば、使用者が着座したときに、実際の便座の温度が使用者の想定した温度と異った場合でも、便座のオン／オフの状態や設定温度を報知することにより、使用者に安心感を与えることができる。
【００４０】
また、制御部３０（報知情報判断部３１）は、着座検知部４１の検知結果に基づいて、使用者に報知する情報を判断することができる。例えば、使用者の着座が長時間、検知され続けた場合、制御部３０は、低温やけど防止等の観点から、暖房機能をオフにする場合がある。このとき、制御部３０は、暖房機能がオフになったことを音声出力部５０に報知させる。これにより、着座中に便座２０の温度が低下しても、使用者に安心感を与えることができる。
【００４１】
なお、ブロック図は、一例であり、必ずしも実際のモジュールとは一致しない場合がある。例えば、制御部３０は、１つの基板上に集積された回路であってもよいし、適宜、分割され、複数の基板上に形成された回路でもよい。
【００４２】
図３は、実施形態に係る別の暖房便座装置を例示するブロック図である。  
図３に示す暖房便座装置１０１は、図２に関して説明した暖房便座装置１００と比べて、便座温度測定部６１、室内温度測定部６２、及び受付部７２をさらに有する。これらは、例えば本体部１０に設けられる。また、制御部３０は、状態管理部３２をさらに含む。これ以外については、暖房便座装置１０１にも、暖房便座装置１００と同様の説明を適用できる。
【００４３】
例えば、トイレ室ＴＲ内に暖房便座装置１０１の操作部７０が設けられる。操作部７０は、例えば、壁面等に設置されたリモコン（図１参照）である。使用者は、操作部７０を操作することにより、便座２０の温度の設定や、便座２０の操作を入力する。便座２０の操作とは、例えば、暖房機能のオン／オフ、設定温度のリセット、及び後述する節電機能の設定などである。操作部７０は、使用者の入力に応じて受付部７２に信号を送信する。
【００４４】
受付部７２は、例えば、操作部７０（リモコン）からの信号の受信部である。受付部７２は、その信号を受信することにより、使用者からの温度の設定や、便座の操作を受け付ける。受付部７２は、受け付けた信号に応じて、制御部３０に信号を送信する。制御部３０は、この信号に基づいて、ヒータ２１や音声出力部５０の動作など、暖房便座装置１０１の各機能を制御する。例えば、制御部３０は、便座２０の温度が、使用者によって設定された温度となるようにヒータ２１の通電を制御する。
【００４５】
なお、この例では、操作部７０と制御部３０との間の通信には、電波通信が用いられている。すなわち、受付部７２は、電波の受信モジュールを含む。この電波の周波数帯は、例えば、０．３ＧＨｚ〜３ＧＨｚ程度である。但し、実施形態において、操作部７０と制御部３０との通信は、電波通信には限られず、赤外線通信であってもよい。この場合、受付部７２は、赤外線受信モジュールを含む。また、操作部７０と制御部３０との通信は、無線通信に限らず、有線通信であってもよい。受付部７２は、使用者が温度の設定や操作を入力するボタンやスイッチなどでもよい。これらのボタンやスイッチは、本体部１０に設けられてもよい。
【００４６】
制御部３０（報知情報判断部３１）は、受付部７２が受け付けた、温度の設定や便座２０の操作に基づいて、使用者に報知する情報を判断する。使用者の便座２０への着座が検知されると、制御部３０は、判断された情報を音声出力部５０に報知させる。
【００４７】
例えば、使用者が便座２０に着座すると、音声出力部５０は、暖房機能がオン又はオフであることや、便座の設定温度を報知する。例えば、音声出力部５０は、「便座の設定温度は、○℃です。」と報知する。この設定温度は、使用者が、受付部７２を介して設定した温度である。
【００４８】
例えば、使用者が、着座中に、受付部７２を介して、便座２０の暖房機能のオン／オフを切り替えたり、便座２０の設定温度を変更したりすると、音声出力部５０は、その旨を報知する。例えば、音声出力部５０は、「便座の温度が変更されました。」または「便座の温度が○℃に設定されました。」などと報知する。
【００４９】
また、使用者が着座した時に、音声出力部５０は、暖房機能のオン／オフを切り替えるための操作方法や、設定温度を変更するための操作方法をガイドしてもよい。これにより、使用者は、リモコンを操作しやすい着座姿勢で、リモコンの操作方法を知ることができる。例えば、音声出力部５０は、「便座温度を設定するには、リモコンの○○を操作してください。」、「便座の設定温度は○℃です。設定を変更するには、リモコンの○○を操作してください。」などと報知する。
【００５０】
このように、実施形態によれば、受付部７２が受け付けた情報に基づいて、使用者に適切な情報を報知することができる。上述のように、例えば、使用者は、便座の設定温度が変更されたことや、変更された設定温度を音声により確認することができる。また、受付部７２を介して温度の設定方法などを音声により知ることができる。これにより、利便性をより向上させることができる。
【００５１】
便座温度測定部６１は、便座２０の温度（座面の温度）を測定する。便座温度測定部６１には、例えば測温抵抗体（サーミスタ）、熱電対、バイメタルなど任意の方式の温度センサを用いることができる。
【００５２】
便座温度測定部６１は、制御部３０と電気的に接続される。これにより、制御部３０は、現在の便座２０の実際の温度を取得可能である。制御部３０は、便座温度測定部６１の測定結果に基づいて、ヒータ２１の通電を制御する。また、制御部３０（報知情報判断部３１）は、便座温度測定部６１の測定結果に基づいて、使用者に報知する情報を判断する。
【００５３】
例えば、使用者が便座２０に着座すると、音声出力部５０は、「ただいまの便座温度は、○℃です。」と報知する。これにより、使用者は、実際の便座の温度を音声により知ることができる。
【００５４】
また、暖房便座装置が受付部７２と便座温度測定部６１との両方を有する場合、制御部３０は、使用者が設定した便座２０の設定温度と、便座温度測定部６１の測定結果と、を比較して、使用者に報知する情報を判断することができる。
【００５５】
例えば、使用者が便座２０に着座した際に、実際の便座２０の温度が、所定の温度よりも高いか、低いかが報知される。この所定の温度は、使用者が受付部７２を介して設定した便座２０の設定温度である。この所定の温度は、ＲＯＭ等に予め設定されたデフォルト値であってもよい。
【００５６】
また、例えば、使用者の着座中に、実際の便座２０の温度が、使用者が設定した便座の温度に達しているか否かが報知される。例えば、音声出力部５０は、実際の便座２０の温度が、設定温度に達すると「設定温度になりました。」と報知する。音声出力部は、実際の便座２０の温度が、設定温度に達していない場合、「設定温度になっていません。」と報知する。
【００５７】
室内温度測定部６２は、トイレ室ＴＲ内の温度（気温）を測定する。室内温度測定部６２には、例えば測温抵抗体（サーミスタ）、熱電対、バイメタルなど任意の方式の温度センサを用いることができる。
【００５８】
室内温度測定部６２は、制御部３０と電気的に接続される。これにより、制御部３０は、現在のトイレ室ＴＲ内の温度を取得可能である。制御部３０（報知情報判断部３１）は、室内温度測定部６２の測定結果に基づいて、使用者に報知する情報を判断する。
【００５９】
例えば、冬場などにおいては、気温が低いため、便座２０が冷えやすい。この場合は、便座２０が冷たいという不快感が生じるおそれのあるため、暖房機能に関する情報を使用者に報知することが望ましい。一方、夏場などにおいては、気温が高いため、暖房機能に関する情報を報知しなくてもよい場合がある。これに対して、実施形態によれば、トイレ室ＴＲ内の温度に基づいて、使用者に適切に情報を報知することができる。
【００６０】
使用者が着座したときにトイレ室ＴＲ内の温度が所定の温度よりも低い場合、音声による、暖房機能の情報が報知される。例えば、便座が昇温中である場合や、暖房機能がオフであった場合には、その旨が報知される。例えば、音声出力部５０は「ただいま便座温度を上げています。」と報知する。一方、室温が高い場合には、音声による報知を行わなくてもよい。なお、所定の温度は、例えば、使用者が受付部７２を介して設定した便座２０の設定温度である。所定の温度は、ＲＯＭ等に予め設定されたデフォルト値であってもよい。
【００６１】
また、暖房便座装置が便座温度測定部６１と室内温度測定部６２との両方を有する場合、制御部３０は、便座温度測定部６１の測定結果と室内温度測定部６２の測定結果とに基づいて、使用者に報知する情報を判断することができる。例えば、室内温度測定部６２により測定された室内の温度が所定の温度よりも低く、かつ、便座温度測定部６１により測定された便座の温度が所定の温度よりも低い場合に、音声による報知を行う。例えば、便座が昇温中である場合や、暖房機能がオフであった場合には、その旨が報知される。この際、室温の高低の判断基準となる所定の温度、および、便座の温度の高低の判断基準となる所定の温度には、それぞれ、上述したとおり、使用者が設定した便座の設定温度、または、予め定められたデフォルト値を用いることができる。これら２つの所定の温度は、同じ値でもよいし、別々に設定された、互いに異なる温度であってもよい。
【００６２】
便座２０の暖房機能の状態には、通常状態と、節電状態と、がある。制御部３０の状態管理部３２は、このような便座２０の状態を管理する。例えば、状態管理部３２は、暖房機能の状態を認識し、通常状態と節電状態とを適宜、切り替えることができる。
【００６３】
暖房機能の通常状態と節電状態について説明する。  
節電状態は、通常状態に比べて、消費電力が低い状態である。通常状態は、節電状態が設定されていない状態である。使用者は、リモコンや受付部７２を介して、節電状態と通常状態との切り替えを指示することができる。
【００６４】
通常状態において、制御部３０は、便座２０の温度が、設定温度（第１の温度）となるようにヒータ２１に通電する（第１の制御）。ここで、設定温度とは、使用者が受付部７２を介して設定した設定温度、または、ＲＯＭ等に予め設定されたデフォルト値である。
【００６５】
節電状態においては、制御部３０は、第１の制御と、第２の制御と、を適宜切り替えて、実施する。第２の制御において、制御部３０は、便座２０の温度が機内設定温度（第２の温度）となるようにヒータ２１に通電する。機内設定温度とは、例えば、第１の制御における設定温度（第１の温度）よりも低い温度（例えば２６℃程度）である。機内設定温度（第２の温度）は、例えばＲＯＭ等に予め設定された値である。機内設定温度は、使用者によって適宜設定されてもよい。また、第２の制御においては、制御部３０は、暖房機能をオフとしてもよい。
【００６６】
すなわち、節電状態において、制御部３０は、便座２０の温度を設定温度（第１の温度）とする第１の制御と、便座２０の温度を設定温度よりも低くする第２の制御と、を実行する。なお、節電状態においては、第１の制御は必ずしも実施されなくてもよい。
【００６７】
節電状態において、第１の制御は、第１の時間帯に実施され、第２の制御は、第２の時間帯に実施される。すなわち、例えば、第１の時間帯は、暖房機能をオンとする時間帯であり、第２の時間帯は、暖房機能をオフとする時間帯である。または、第１の時間帯は、暖房機能がオンであって便座２０の温度を設定温度（第１の温度）に保つ時間帯であり、第２の時間帯は、暖房機能がオンであるが便座２０の温度を設定温度（第１の温度）よりも低くする時間帯である。
【００６８】
第１の時間帯は、例えば、トイレの使用頻度が比較的高い時間帯であり、第２の時間帯は、トイレの使用頻度が比較的低い時間帯である。これにより、例えば常に第１の制御が実行される通常状態の消費電力に比べて、節電状態の消費電力を低くすることができる。
【００６９】
節電状態においては、第２の制御が実行されているときであっても、使用者の着座が検知されると（または、後述の入室検知部４０による使用者の入室が検知されると）、制御部３０は、第１の制御を開始し、便座２０を暖めることができる。これにより、消費電力を低くしながら、便座が冷たいという不快感を抑制し、利便性を向上させることができる。
【００７０】
例えば、制御部３０は、トイレが使用された時刻を記憶することにより、トイレの使用頻度が高い時間帯と低い時間帯とを学習する。例えば、第１、２の時間帯は、制御部３０が８日間にわたって学習した内容に応じて、制御部３０によって定められる（おまかせ節電）。
【００７１】
または、第１、２の時間帯は、予め定められ、制御部３０内のタイマーにより管理されてもよい（タイマー節電）。例えば、深夜の時間帯を第２の時間帯とし、それ以外を第１の時間帯とする。使用者は、受付部７２を介して、第１の時間帯及び第２の時間帯の少なくともいずれかを指定することができる。
【００７２】
制御部３０（報知情報判断部３１）は、状態管理部３２が管理する暖房機能の状態に基づいて、使用者に報知する情報を判断する。例えば、使用者の着座が検知されると、音声出力部５０は、「おまかせ節電中です。」と報知する。これにより、使用者は、便座２０への着座時に、便座２０の状態を音声により知ることができる。また、この際に、設定温度の切替方法や、通常状態と節電状態との切替方法が報知されてもよい。例えば、便座２０の温度が節電状態のために設定温度よりも低かった場合でも、使用者が暖房便座装置の不具合と誤解するような事態を抑制できる。
【００７３】
また、例えば、第２の制御が実行される第２の時間帯に、使用者の便座２０への着座が検知されると、制御部３０は、音声出力部５０に暖房機能に関する情報を報知させる。すなわち、暖房機能が節電状態であって便座２０の温度が低い時間帯（第２の時間帯）に、暖房機能の状態が節電状態であること、便座２０が昇温中であること、または、使用者が受付部７２で設定した設定温度よりも便座２０の温度が低いこと、などが報知される。例えば、便座の温度が高い時間帯（第１の時間帯）には、暖房機能の状態を報知しなくてもよい。これにより、より適切なタイミングで使用者に情報を報知することができる。
【００７４】
また、制御部３０が状態管理部３２を有し、かつ、便座温度測定部６１が設けられた場合には、制御部３０は、便座２０の暖房機能の状態と、便座温度測定部６１の測定結果と、に基づいて、使用者に報知する情報を判断することができる。例えば、便座２０の暖房機能の状態が節電状態であり、かつ、便座温度測定部６１によって測定された実際の便座の温度が所定の温度（第１の温度）よりも低い場合に、暖房機能の状態が節電状態であること、便座２０が昇温中であること、または、便座２０の温度が所定の温度よりも低いことなどが報知される。例えば、音声出力部は、「おまかせ節電中です。ただいま便座温度を上げています。」と報知する。便座２０の実際の温度が所定の温度よりも低くない場合には、報知が行われなくてもよい。これにより、より適切なタイミングで使用者に情報を報知することができる。
【００７５】
図４は、実施形態に係る別の暖房便座装置を例示するブロック図である。  
図４に示す暖房便座装置１０２は、図３に関して説明した暖房便座装置１０１と比べて、入室検知部４０をさらに含む。これ以外については、暖房便座装置１０２にも、暖房便座装置１０１と同様の説明を適用できる。
【００７６】
入室検知部４０には、例えば、焦電センサ、マイクロ波センサ、超音波センサ、または測距センサ（赤外線投光式センサ）を用いることができる。この例では、入室検知部４０には、本体部１０に設けられた焦電センサが用いられている。入室検知部４０は、例えば、トイレ装置３００の前方の広い範囲を検知する。入室検知部４０は、例えば、使用者がトイレ室ＴＲのドアを開けて入室したことを直ちに検知可能である。これにより、入室検知部４０は、トイレ室ＴＲ内への使用者の入室の有無を検知することができる。
【００７７】
制御部３０は、例えば入室検知部４０と電気的に接続され、入室検知部４０の動作を制御し、入室検知部４０の検知結果を受信する。制御部３０は、入室検知部４０により使用者の入室が検知されると、音声出力部５０に暖房機能に関する情報を報知させる。
【００７８】
例えば、制御部３０は、使用者の入室が入室検知部４０によって検知されると、音声出力部５０に暖房機能に関する情報を報知させ、その後、使用者の着座が着座検知部４１によって検知されると、再び、音声出力部５０に暖房機能に関する情報を報知させる。このように、２回の報知を行うことにより、使用者に対して情報を強調することができる。また、例えば１回目の報知は、使用者がトイレ室ＴＲに入室してから便座２０に着座するまでの間に行われる。これにより、使用者は、便座２０の温度を確認してから着座したり、便座２０の温度が適温となるまで待ってから着座したり、便座２０の設定温度等を変更してから着座したりすることができる。したがって、便座が冷たいという不快感を抑制することができる。
【００７９】
制御部３０（報知情報判断部３１）は、入室検知部４０の検知結果と、着座検知部４１の検知結果と、に基づいて、使用者に報知する情報を判断してもよい。例えば、使用者の入室時に報知する情報と、着座時に報知する情報と、を変えることができる。これにより、入室時、着座時のそれぞれのタイミングで、適切な報知を行うことができる。
【００８０】
例えば、使用者の入室が検知されると、制御部３０は、便座２０の設定温度、便座２０の現在の温度、暖房機能の状態などを音声出力部５０に報知させる。その後、使用者の着座が検知されると、制御部３０は、便座２０の操作方法に関する情報（暖房機能のオン／オフや設定温度を変更の方法）を音声出力部５０に報知させる。このように、入室時に、便座２０の温度に関する情報を報知することにより、着座時に便座２０が冷たいという不快感を抑制できる。そして、リモコンを操作しやすい着座時にリモコンの操作方法を報知する。
【００８１】
使用者の入室から着座までの時間は、時間帯や季節によって変化する。また、入室から着座までの時間は、トイレ毎、使用者毎によっても変化する。例えば、使用者によっては、入室後、便座などを掃除してから着座するため、入室から着座までの時間が長い。また、冬場などにおいては、厚着のため、脱衣に時間が掛かるため、入室から着座までの時間が長くなる傾向がある。
【００８２】
そこで、制御部３０（報知情報判断部３１）は、入室検知部４０によって入室が検知された時刻から着座検知部４１によって着座が検知される時刻までの時間に基づいて、使用者に報知する情報を判断してもよい。例えば、入室から着座までの時間に応じて、音声による報知の内容を変えることができる。これにより、使用者の動作に合わせた、より適切な報知を行うことができる。
【００８３】
例えば、入室が検知された時刻から着座が検知される時刻までの時間が所定の時間よりも短い場合、音声出力部５０は、使用者の入室が検知されると「昇温しています。」と報知し、その後、使用者の着座が検知されると「昇温しています。」と報知する。  
例えば、入室が検知された時刻から着座が検知される時刻までの時間が所定の時間よりも長い場合、音声出力部５０は、使用者の入室が検知されてから着座が検知されるまでの間に「昇温しています。」「適温になりました。」と報知し、その後、使用者の着座が検知されたときには、音声による報知を行わない。
【００８４】
また、制御部３０は、入室から着座までの時間を記憶し、学習することができる。例えば、制御部３０は、入室から着座までに要する時間を学習する。また、例えば、制御部３０は、入室から着座までの時間が長い時間帯や季節、および、入室から着座までの時間が短い時間帯や季節を学習する。制御部３０（報知情報判断部３１）は、学習した時間に基づいて、使用者に報知する情報を判断してもよい。例えば、学習した時間に応じて、音声による報知の内容を変えることができる。
【００８５】
例えば、学習した入室から着座までの時間が所定の時間よりも短い場合、音声出力部５０は、使用者の入室が検知されると「昇温しています。」と報知する。学習した入室から着座までの時間が所定の時間よりも短い場合、音声出力部５０は、使用者の入室が検知されると「昇温しています。少し待ってから着座してください。」と報知する。
【００８６】
なお、上記の所定の時間（入室から着座までの時間の長短を判断する基準）は、例えば、設定温度の低い状態（節電状態等）から設定温度まで昇温するのに要する時間やあらかじめ定めた基準時間が挙げられる。所定の時間は例えば１０秒である。
【００８７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、暖房便座装置が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８８】
１０ 本体部、  ２０ 便座、  ２０ｆ 座面、  ２１ ヒータ、  ２２ 便蓋、  ３０ 制御部、  ３１ 報知情報判断部、  ３２ 状態管理部、  ４０ 入室検知部、  ４１ 着座検知部、  ５０ 音声出力部、  ６１ 便座温度測定部、  ６２ 室内温度測定部、  ７０ 操作部、  ７２ 受付部、  １００、１０１、１０２ 暖房便座装置、  ２００ 便器、  ３００ トイレ装置、  ＴＲ トイレ室
【図１】
2019024532.tif 000003
【図２】
2019024532.tif 000004
【図３】
2019024532.tif 000005
【図４】
2019024532.tif 000006